【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
ソーシャルネットワーキングシステムのコンピュータシステムが、第１のユーザのセットトップボックス（ＳＴＢ）の１以上の機能を少なくとも部分的に制御するために、前記ソーシャルネットワーキングシステムの前記第１のユーザから認可を受信する工程であって、前記ソーシャルネットワーキングシステムは、複数のノードと前記ノード同士を接続するエッジとを備えるグラフを含み、前記ノードは、
各々が前記ソーシャルネットワーキングシステムのユーザに関連付けられているユーザノードであって、前記ユーザノードは、前記第１のユーザに関連付けられている第１のユーザノードと、
前記ソーシャルネットワーキングシステムの第２のユーザに関連付けられている第２のユーザノードであって、前記第２のユーザノードは、前記グラフにおける１以上のエッジによって前記第１のユーザノードにつなげられる、第２のユーザノードと、
を含む、工程と、
前記ソーシャルネットワーキングシステムの前記コンピュータシステムが、前記グラフを解析する工程と、
前記ソーシャルネットワーキングシステムの前記コンピュータシステムが、複数の選択可能なプリファレンスを前記第１のユーザに提供する工程であって、前記選択可能なプリファレンスは、前記第１のユーザのＳＴＢを直接的にプログラムする前に、前記第１のユーザの同意を前記ソーシャルネットワーキングシステムが求めるプリファレンスと、
前記第１のユーザからのさらなる許可を求めることなく、前記第１のユーザのＳＴＢを前記ソーシャルネットワーキングシステムが直接的にプログラムするプリファレンスと、を含む、工程と、
前記ソーシャルネットワーキングシステムの前記コンピュータシステムが、前記第１のユーザのＳＴＢを直接的にプログラムする前に、前記第１のユーザの同意を前記ソーシャルネットワーキングシステムが求めるプリファレンスを前記第１のユーザが選択したことを示す標識を受信する工程と、
前記第２のユーザがメディアコンテンツを前記第１のユーザに能動的にプッシュすることなく、前記ソーシャルネットワーキングシステムの前記コンピュータシステムが、
前記グラフの前記解析に基づいて、前記第２のユーザによる前記ソーシャルネットワーキングシステムへの１以上の投稿を決定する工程と、
前記第２のユーザによる前記ソーシャルネットワーキングシステムへの１以上の投稿
から、前記第２のユーザが視聴することを計画している特定のメディアコンテンツを決定する、特定のメディアコンテンツ決定工程と、
認可メッセージを前記第１のユーザに送信する工程であって、前記認可メッセージは、前記第２のユーザが視聴することを計画している前記特定のメディアコンテンツを記録するための同意を提供することを前記第１のユーザに対して許可するように構成されるハイパーリンクを備え、前記認可メッセージは、電子メールまたはテキストメッセージを含む、工程と、
前記第１のユーザが前記第２のユーザが視聴することを計画している前記特定のメディアコンテンツの記録に同意するために前記認可メッセージにおける前記ハイパーリンクを選択した場合、前記第２のユーザが視聴することを計画している前記特定のメディアコンテンツの記録をするための前記第１のユーザのＳＴＢに対する１以上の命令を提供する工程と、を含む方法。
【請求項２】
前記ソーシャルネットワーキングシステムの前記コンピュータシステムが、前記グラフの前記解析に基づいて、前記第２のユーザの１以上のソーシャルアクションを決定する工程であって、前記ソーシャルアクションは、
特定のビデオコンテンツを視聴すること、または、
特定のビデオコンテンツに対して「いいね」と表明することを含む、工程をさらに含み、
前記第２のユーザが視聴することを計画している前記特定のメディアコンテンツを決定する工程は、前記第２のユーザによる前記ソーシャルネットワーキングシステムへの前記１以上の投稿に加えて、前記第２のユーザの前記１以上のソーシャルアクションから決定される、請求項１に記載の方法。
【請求項３】
前記ソーシャルネットワーキングシステムの前記コンピュータシステムが、前記第１のユーザに対する１以上のソーシャル係数を前記グラフから決定する工程と、
前記ソーシャルネットワーキングシステムの前記コンピュータシステムが、前記ソーシャル係数に基づいて、前記第１のユーザが視聴したいであろう他のメディアコンテンツを決定する工程と、
前記ソーシャルネットワーキングシステムの前記コンピュータシステムが、前記第１のユーザが視聴したいであろう前記他のメディアコンテンツを記録するための、前記第１のユーザのＳＴＢに対する１以上の命令を提供する工程をさらに含む、請求項１に記載の方法。
【請求項４】
前記ＳＴＢは、デジタルビデオレコーダ（ＤＶＲ）を含む、請求項１に記載の方法。
【請求項５】
前記ソーシャルネットワーキングシステムの前記コンピュータシステムが、前記グラフの前記解析に基づいて、前記第１のユーザによる１以上のソーシャルアクションを決定する工程と、
前記ソーシャルネットワーキングシステムの前記コンピュータシステムが、前記第１のユーザによるソーシャルアクションに少なくとも部分的に基づいて、前記第１のユーザが視聴したいであろう他のメディアコンテンツを決定する工程と、
前記ソーシャルネットワーキングシステムの前記コンピュータシステムが、前記第１のユーザが視聴したいであろう前記他のメディアコンテンツを記録するための、前記第１のユーザのＳＴＢに対する１以上の命令を提供する工程と、をさらに含む、請求項１に記載の方法。
【請求項６】
前記第１のユーザによる前記ソーシャルアクションの１以上は、前記第１のユーザがチャットメッセージングに参加することを含む、請求項５に記載の方法。
【請求項７】
前記第２のユーザは、前記ソーシャルネットワーキングシステムへの投稿をしたユーザとして前記第１のユーザによって認可され、前記投稿は、前記第１のユーザのＳＴＢのコンテンツを記録するために使用される、請求項１に記載の方法。
【請求項８】
前記ソーシャルネットワーキングシステムの前記コンピュータシステムが、前記第１のユーザに対するパーソナライズされた待ち行列を決定する工程であって、前記パーソナライズされた待ち行列は、前記第１のユーザが視聴するための１以上の推奨番組を含む、工程と、
前記ソーシャルネットワーキングシステムの前記コンピュータシステムが、前記パーソナライズされた待ち行列から前記推奨番組のうちの１以上を記録するための命令を前記ＳＴＢに提供する工程と、をさらに含む、請求項１に記載の方法。
【請求項９】
前記第２のユーザが前記特定のメディアコンテンツを視聴することを計画していると決定することに応答して、前記第２のユーザが前記特定のメディアコンテンツを視聴することを計画しているという通知を前記第１のユーザに提供する工程を、さらに含む、請求項１に記載の方法。
【請求項１０】
前記特定のメディアコンテンツ決定は、前記第２のユーザによって前記１以上の投稿内に含められた既知の番組または映画の名前を識別する工程を含む、請求項１に記載の方法。
【請求項１１】
１以上のメモリデバイスと、
前記１以上のメモリデバイスに通信可能に結合されたプロセッサとを備える、システムであって、前記プロセッサは、
第１のユーザのセットトップボックス（ＳＴＢ）の１以上の機能を少なくとも部分的に制御するために、ソーシャルネットワーキングシステムの前記第１のユーザから認可を受信する工程であって、前記ソーシャルネットワーキングシステムは、複数のノードと前記ノード同士を接続するエッジとを備えるグラフを含み、前記ノードは、
各々が前記ソーシャルネットワーキングシステムのユーザに関連付けられているユーザノードであって、前記ユーザノードは、前記第１のユーザに関連付けられている第１のユーザノードと、
前記ソーシャルネットワーキングシステムの第２のユーザに関連付けられている第２のユーザノードであって、前記第２のユーザノードは、前記グラフにおける１以上のエッジによって前記第１のユーザノードにつなげられる、第２のユーザノードと、を含む、工程と、
前記グラフを解析する工程と、
複数の選択可能なプリファレンスを前記第１のユーザに提供する工程であって、前記選択可能なプリファレンスは、前記第１のユーザのＳＴＢを直接的にプログラムする前に、前記第１のユーザの同意を前記ソーシャルネットワーキングシステムが求めるプリファレンスと、
前記第１のユーザからのさらなる許可を求めることなく、前記第１のユーザのＳＴＢを前記ソーシャルネットワーキングシステムが直接的にプログラムするプリファレンスと、を含む、工程と、
前記第１のユーザのＳＴＢを直接的にプログラムする前に、前記第１のユーザの同意を前記ソーシャルネットワーキングシステムが求めるプリファレンスを前記第１のユーザが選択したことを示す標識を受信する工程と、
前記第２のユーザがメディアコンテンツを前記第１のユーザに能動的にプッシュすることなく、
前記グラフの前記解析に基づいて、前記第２のユーザによる前記ソーシャルネットワーキングシステムへの１以上の投稿を決定する工程と、
前記第２のユーザによる前記ソーシャルネットワーキングシステムへの１以上の投稿から、前記第２のユーザが視聴することを計画している特定のメディアコンテンツを決定する、特定のメディアコンテンツ決定工程と、
認可メッセージを前記第１のユーザに送信する工程であって、前記認可メッセージは、前記第２のユーザが視聴することを計画している前記特定のメディアコンテンツを記録するための同意を提供することを前記第１のユーザに対して許可するように構成されるハイパーリンクを備え、前記認可メッセージは、電子メールまたはテキストメッセージを含む、工程と、
前記第１のユーザが前記第２のユーザが視聴することを計画している前記特定のメディアコンテンツの記録に同意するために前記認可メッセージにおける前記ハイパーリンクを選択した場合、前記第２のユーザが視聴することを計画している前記特定のメディアコンテンツの記録をするための前記第１のユーザのＳＴＢに対する１以上の命令を提供する工程と、が行われるように構成される、システム。
【請求項１２】
前記プロセッサは、
前記グラフの前記解析に基づいて、前記第２のユーザの１以上のソーシャルアクションを決定する工程であって、前記ソーシャルアクションは、
特定のビデオコンテンツを視聴すること、または、
特定のビデオコンテンツに対して「いいね」と表明することを含む、工程が行われるようにさらに構成され、
前記第２のユーザが視聴することを計画している前記特定のメディアコンテンツを決定する工程は、前記第２のユーザによる前記ソーシャルネットワーキングシステムへの前記１以上の投稿に加えて、前記第２のユーザの前記１以上のソーシャルアクションから決定される、請求項１１に記載のシステム。
【請求項１３】
前記プロセッサは、
前記第１のユーザに対する１以上のソーシャル係数を前記グラフから決定する工程と、
前記ソーシャル係数に基づいて、前記第１のユーザが視聴したいであろう他のメディアコンテンツを決定する工程と、
前記第１のユーザが視聴したいであろう前記他のメディアコンテンツを記録するための、前記第１のユーザのＳＴＢに対する１以上の命令を提供する工程と、が行われるようにさらに構成される、請求項１１に記載のシステム。
【請求項１４】
前記第２のユーザによる前記ソーシャルネットワーキングシステムへの前記１以上の投稿は、特定のビデオコンテンツの１ピースを将来見ることを示す標識を含む、請求項１１に記載のシステム。
【請求項１５】
前記プロセッサは、
前記グラフの前記解析に基づいて、前記第１のユーザによる１以上のソーシャルアクションを決定する工程と、
前記第１のユーザによるソーシャルアクションに少なくとも部分的に基づいて、前記第１のユーザが視聴したいであろう他のメディアコンテンツを決定する工程と、
前記第１のユーザが視聴したいであろう前記他のメディアコンテンツを記録するための、前記第１のユーザのＳＴＢに対する１以上の命令を提供する工程と、が行われるようにさらに構成される、請求項１１に記載のシステム。
【請求項１６】
前記第１のユーザによる前記ソーシャルアクションの１以上は、前記第１のユーザがチャットメッセージングに参加することを含む、請求項１５に記載のシステム。
【請求項１７】
前記第２のユーザは、前記ソーシャルネットワーキングシステムへの投稿をしたユーザ
として前記第１のユーザによって認可され、前記投稿は、前記第１のユーザのＳＴＢのコンテンツを記録するために使用される、請求項１１に記載のシステム。
【請求項１８】
１以上のコンピューティングシステム内の１以上の非一時的コンピュータ可読記憶媒体であって、前期媒体は、ロジックを具現しており、実行されたときに、
第１のユーザのセットトップボックス（ＳＴＢ）の１以上の機能を少なくとも部分的に制御するために、ソーシャルネットワーキングシステムの前記第１のユーザから認可を受信する工程であって、前記ソーシャルネットワーキングシステムは、複数のノードと前記ノード同士を接続するエッジとを備えるグラフを含み、前記ノードは、
各々が前記ソーシャルネットワーキングシステムのユーザに関連付けられているユーザノードであって、前記ユーザノードは、前記第１のユーザに関連付けられている第１のユーザノードと、
前記ソーシャルネットワーキングシステムの第２のユーザに関連付けられている第２のユーザノードであって、前記第２のユーザノードは、前記グラフにおける１以上のエッジによって前記第１のユーザノードにつなげられる、第２のユーザノードと、を含む、工程と、
前記グラフを解析する工程と、
複数の選択可能なプリファレンスを前記第１のユーザに提供する工程であって、前記選択可能なプリファレンスは、前記第１のユーザのＳＴＢを直接的にプログラムする前に、前記第１のユーザの同意を前記ソーシャルネットワーキングシステムが求めるプリファレンスと、
前記第１のユーザからのさらなる許可を求めることなく、前記第１のユーザのＳＴＢを前記ソーシャルネットワーキングシステムが直接的にプログラムするプリファレンスと、を含む、工程と、
前記第１のユーザのＳＴＢを直接的にプログラムする前に、前記第１のユーザの同意を前記ソーシャルネットワーキングシステムが求めるプリファレンスを前記第１のユーザが選択したことを示す標識を受信する工程と、
前記第２のユーザがメディアコンテンツを前記第１のユーザに能動的にプッシュすることなく、
前記グラフの前記解析に基づいて、前記第２のユーザによる前記ソーシャルネットワーキングシステムへの１以上の投稿を決定する工程と、
前記第２のユーザによる前記ソーシャルネットワーキングシステムへの１以上の投稿から、前記第２のユーザが視聴することを計画している特定のメディアコンテンツを決定する、特定のメディアコンテンツ決定工程と、
認可メッセージを前記第１のユーザに送信する工程であって、前記認可メッセージは、前記第２のユーザが視聴することを計画している前記特定のメディアコンテンツを記録するための同意を提供することを前記第１のユーザに対して許可するように構成されるハイパーリンクを備え、前記認可メッセージは、電子メールまたはテキストメッセージを含む、工程と、
前記第１のユーザが前記第２のユーザが視聴することを計画している前記特定のメディアコンテンツの記録に同意するために前記認可メッセージにおける前記ハイパーリンクを選択した場合、前記第２のユーザが視聴することを計画している前記特定のメディアコンテンツの記録をするための前記第１のユーザのＳＴＢに対する１以上の命令を提供する工程と、が行われるように構成される、媒体。
【請求項１９】
前記グラフの前記解析に基づいて、前記第２のユーザの１以上のソーシャルアクションを決定する工程であって、前記ソーシャルアクションは、
特定のビデオコンテンツを視聴すること、または、
特定のビデオコンテンツに対して「いいね」と表明することを含む、工程が行われるようにさらに構成され、
前記第２のユーザが視聴することを計画している前記特定のメディアコンテンツを決定する工程は、前記第２のユーザによる前記ソーシャルネットワーキングシステムへの前記１以上の投稿に加えて、前記第２のユーザの前記１以上のソーシャルアクションから決定される、さらに構成される、請求項１８に記載の媒体。
【請求項２０】
前記第１のユーザに対する１以上のソーシャル係数を前記グラフから決定する工程と、
前記ソーシャル係数に基づいて、前記第１のユーザが視聴したいであろう他のメディアコンテンツを決定する工程と、
前記第１のユーザが視聴したいであろう前記他のメディアコンテンツを記録するための、前記第１のユーザのＳＴＢに対する１以上の命令を提供する工程と、が行われるようにさらに構成される、請求項１８に記載の媒体。